(57)【特許請求の範囲】
【請求項１】
正面視で、ボディと前記ボディの上方にある上下にスライドできるスライド枠を含み、前記スライド枠の底壁の中には上方に開口した揺動チャンバーが設置され、前記揺動チャンバーの頂壁の中には前記スライド枠を連動して上下に移動させることができる上げ装置が設置され、前記上げ装置が前記スライド枠の中に回転できるように設置されたネジ山カバーを利用して前記ボディの頂壁に固定的に設置された前後対称の第一ネジ山ロッドと協働し、それにより前記スライド枠を連動して上下に移動させ、前記揺動チャンバーの中には揺動枠が揺動できるように設置され、前記揺動枠の右側端壁の中には接着剤塗り装置が設置され、前記接着剤塗り装置が前記上げ装置の上昇とともに塗り輪を連動して接着剤を壁面に均一に塗り、広告の貼りに便利であり、前記揺動枠の右側端壁の中には前記揺動枠が揺動することに用いる揺動装置が設置され、前記揺動チャンバーの底壁の中には第一スライドチャンバーが左右対称的に設置され、前記第一スライドチャンバーと第一スライドチャンバーの端壁の中には貼り装置が設置され、前記貼り装置が第一スライドチャンバーの中にスライドできるように設置された第一スライドブロックを含み、前記第一スライドブロックが前記第一スライドブロックの底壁の中にスライドできるように設置されたローラーホイールを連動して移動させて広告紙を壁面に貼らせ、前記揺動枠の底壁の中には吸着装置が設置され、前記吸着装置が前記揺動枠の底壁の中にスライドできるように設置された吸着盤を利用して広告紙を吸着し、そして前記揺動装置と協働して広告紙を水平方向から垂直方向に回転連動させ、それにより広告紙を壁面と貼り合わせ、前記ボディの頂壁の中には上方に開口した保存チャンバーが設置され、前記保存チャンバーの中には押出板がスライドできるように設置され、前記押出板が前記保存チャンバーの底壁の中に設置された液圧機構の作用のもとで上下に移動し、それにより広告紙を連動して上方に移動させて前記吸着装置と協働させて広告紙を吸盤に吸着させることを特徴とする壁面広告を自動的に貼る装置。
【請求項２】
前記上げ装置はまた前記揺動枠の頂壁の中に設置された伝動チャンバーを含み、前記伝動チャンバーの中には前後に延伸した第一回転軸が回転できるように設置され、前記伝動チャンバーの中の前記第一回転軸の外表面には第一ベベルギアが固定的に設置され、前記第一回転軸の前後両側の末端が前記揺動枠の外側まで伸びており、且つ前記第一回転軸の前後両側の末端には第一歯車が固定的に設置され、前記伝動チャンバーの底壁の中にはチェンジチャンバーが設置され、前記チェンジチャンバーと前記伝動チャンバーとの間には第二回転軸が回転できるように設置され、前記伝動チャンバーの中の前記第二回転軸の末端には前記第一ベベルギアと噛み合っている第二ベベルギアが固定的に設置され、前記チェンジチャンバーの中の前記第二回転軸の末端には第二歯車が固定的に設置されていることを特徴とする請求項１に記載の壁面広告を自動的に貼る装置。
【請求項３】
前記揺動チャンバーの頂壁の中には前後対称の歯車チャンバーが設置され、前記歯車チャンバーの片側端壁の中にはウォームホイールチャンバーが設置され、前後の二つのウォームホイールチャンバーの間には前記歯車チャンバーを貫通した第一ウォームが回転できるように設置され、前記歯車チャンバーの中の前記第一ウォームの外表面には前記第一歯車と噛み合っている第三歯車が固定的に設置され、前記ウォームホイールチャンバーの頂壁の中にはベルトチャンバーが設置され、前記ベルトチャンバーと前記ウォームホイールチャンバーの間には第三回転軸が回転できるように設置され、前記ウォームホイールチャンバーの中の前記第三回転軸の末端には前記第一ウォームと噛み合っている第一ウォームホイールが固定的に設置され、前記ベルトチャンバーの中の前記第三回転軸の末端には第一プーリが固定的に設置され、前記ネジ山カバーが前記ベルトチャンバーを貫通し、前記ベルトチャンバーの中の前記ネジ山カバーの外表面には第二プーリが固定的に設置され、前記第二プーリと前記第一プーリとの間にはベルトが伝動できるように連結され、前記ネジ山カバーの中には上下に貫通した第一ネジ山孔が設置され、前記第一ネジ山ロッドが第一ネジ山孔の中にネジ山により連結されることを特徴とする請求項２に記載の壁面広告を自動的に貼る装置。
【請求項４】
前記接着剤塗り装置は前記揺動枠の右側端壁の中に設置された右方に開口したガイドスライド溝を含み、前記ガイドスライド溝の中にはガイドスライドブロックがスライドできるように設置され、前記ガイドスライドブロックと前記ガイドスライド溝の左側端壁との間には押圧バネが弾性を持つように設置され、前記ガイドスライドブロックの右側端壁の中には接着剤塗りチャンバーが設置され、前記塗り輪が前記接着剤塗りチャンバーの中に回転できるように設置され、前記接着剤塗りチャンバーの頂壁の中には抜き穴が設置され、前記揺動枠の頂壁には接着剤保存缶が固定的に設置され、前記接着剤保存缶の底壁の中には前記接着剤塗りチャンバーを連通した原料入口が設置されていることを特徴とする請求項１に記載の壁面広告を自動的に貼る装置。
【請求項５】
前記揺動装置は前記揺動枠の中に設置された噛合チャンバーを含み、前記噛合チャンバーの中には第四回転軸が回転できるように設置され、第四回転軸の前後両側の末端が前記揺動枠を貫通して前記揺動チャンバーの前後端壁に固定的に設置され、前記噛合チャンバーの中の前記第四回転軸の外表面には第二ウォームホイールが固定的に設置され、前記噛合チャンバーの中には前記第二ウォームホイールと噛み合っている第二ウォームが回転できるように設置され、前記チェンジチャンバーの頂壁の中には第二スライドチャンバーが設置され、前記第二スライドチャンバーの中には第二スライドブロックがスライドできるように設置され、前記第二スライドブロックの底壁の中には第一モーターが固定的に設置され、前記第一モーターの出力軸の末端には第四歯車が固定的に設置され、前記第二スライドブロックの中には左右に貫通した第二ネジ山孔が設置され、前記第二ネジ山孔の中には第二ネジ山ロッドがネジ山により設置され、前記第二ネジ山ロッドが前記第二ウォームと固定的に連結され、前記第二ネジ山ロッドの左側末端が前記第二スライドチャンバーの左側端壁の中に固定的に設置された第二モーターと動力が伝達できるように連結されていることを特徴とする請求項３に記載の壁面広告を自動的に貼る装置。
【請求項６】
前記貼り装置は前記第一スライドブロックの中に設置された左右に貫通した第三ネジ山孔を含み、前記第三ネジ山孔の中には第三ネジ山ロッドがネジ山により連結され、前記第三ネジ山ロッドの末端が左右二つの前記第一スライドチャンバーの間に設置された回転チャンバーの中に伸びており、且つ第三ネジ山ロッドの末端には第三ベベルギアが固定的に設置され、前記回転チャンバーと前記チェンジチャンバーとの間には第五回転軸が回転できるように設置され、前記チェンジチャンバーの中の前記第五回転軸の末端には前記第四歯車と噛み合っている第五歯車が固定的に設置され、前記回転チャンバーの中の前記第五回転軸の末端には前記第三ベベルギアと噛み合っている第四ベベルギアが固定的に設置され、前記ローラーホイールが前記第一スライドブロックの底壁の中に設置されたローラーホイールチャンバーの中に回転できるように設置されていることを特徴とする請求項５に記載の壁面広告を自動的に貼る装置。
【請求項７】
前記吸着装置は前記揺動枠の頂壁に左右対称的に設置されており、且つ直線に沿って配置した複数グループの第一スライド孔を含み、前記第一スライド孔の中には前記吸盤と固定的に連結された第一スライドロッドがスライドできるように設置され、前記第一スライドロッドの中には上下に貫通した通気孔が設置され、前記第一スライドロッドと前記第一スライド孔の頂壁との間にはリセットバネが弾性を持つように設置され、前記第一スライド孔の左側端壁の中には外部空間を連通した連通パイプが設置され、前記第一スライドチャンバーの片側端壁の中には前記連通パイプを貫通した第二スライド孔が設置され、前記第二スライド孔の中には第二スライドロッドがスライドできるように設置され、前記第二スライドロッドと前記第二スライド孔の端壁との間には第一リセット装置が弾性を持つように設置され、前記第二スライドロッドの中には上下に貫通したエアー穴が設置されていることを特徴とする請求項１に記載の壁面広告を自動的に貼る装置。
【請求項８】
前記液圧機構は前記保存チャンバーの底壁に設置された第三スライド孔を含み、前記第三スライド孔の中には前記押出板と固定的に連結された第三スライドロッドがスライドできるように設置され、前記第三スライドロッドと前記第三スライド孔の端壁との間には第二リセット装置が弾性を持つように設置され、前記ボディの頂壁の中の右側には上方に開口した第四スライド孔が設置され、前記第四スライド孔の中には第四スライドロッドがスライドできるように設置され、前記第四スライド孔と前記第三スライド孔との間には液圧パイプが連通するように設置されていることを特徴とする請求項１に記載の壁面広告を自動的に貼る装置。
【請求項９】
前記ボディの前後端壁にはローラーが左右対称的に設置され、前記ボディの移動に便利であることを特徴とする請求項１に記載の壁面広告を自動的に貼る装置。
【発明の詳細な説明】
【技術分野】
【０００１】
本発明は広告貼り分野に関し、具体的には壁面広告を自動的に貼る装置である。
【背景技術】
【０００２】
現在の商品は種類が多種多様であるため、自分の商品を消費者に知られる必要があるなら広告宣伝を強化しなければならなく、通常の宣伝方式にはテレビメディアと紙製広告があり、伝統的な紙製広告を貼る時には大きな問題が存在し、伝統的な人力貼り方が、効率が低いだけでなく、皺もできやすく、広告宣伝効果を大幅に減少させ、従って壁面広告を自動的に貼る装置を開発して上記の問題を改善する必要がある。
【先行技術文献】
【特許文献】
【０００３】
【特許文献１】中国特許出願公開第１０６２７４１３９号明細書
【発明の概要】
【発明が解決しようとする課題】
【０００４】
本発明は壁面広告を自動的に貼る装置を提供し、従来技術における上記欠点を解消することを目的とする。
【課題を解決するための手段】
【０００５】
本発明が技術問題を解決するために採用する技術プランは：本発明の実施例の壁面広告を自動的に貼る装置は、ボディと前記ボディの上方にある上下にスライドできるスライド枠を含み、前記スライド枠の底壁の中には上方に開口した揺動チャンバーが設置され、前記揺動チャンバーの頂壁の中には前記スライド枠を連動して上下に移動させることができる上げ装置が設置され、前記上げ装置が前記スライド枠の中に回転できるように設置されたネジ山カバーを利用して前記ボディの頂壁に固定的に設置された前後対称の第一ネジ山ロッドと協働し、それにより前記スライド枠を連動して上下に移動させ、
【０００６】
前記揺動チャンバーの中には揺動枠が揺動できるように設置され、前記揺動枠の右側端壁の中には接着剤塗り装置が設置され、前記接着剤塗り装置が前記上げ装置の上昇とともに塗り輪を連動して接着剤を壁面に均一に塗り、広告の貼りに便利であり、前記揺動枠の右側端壁の中には前記揺動枠が揺動することに用いる揺動装置が設置され、前記揺動チャンバーの底壁の中には第一スライドチャンバーが左右対称的に設置され、前記第一スライドチャンバーと第一スライドチャンバーの端壁の中には貼り装置が設置され、前記貼り装置が第一スライドチャンバーの中にスライドできるように設置された第一スライドブロックを含み、前記第一スライドブロックが前記第一スライドブロックの底壁の中にスライドできるように設置されたローラーホイールを連動して移動させて広告紙を壁面に貼らせ、
【０００７】
前記揺動枠の底壁の中には吸着装置が設置され、前記吸着装置が前記揺動枠の底壁の中にスライドできるように設置された吸着盤を利用して広告紙を吸着し、そして前記揺動装置と協働して広告紙を水平方向から垂直方向に回転連動させ、それにより広告紙を壁面と貼り合わせ、前記ボディの頂壁の中には上方に開口した保存チャンバーが設置され、前記保存チャンバーの中には押出板がスライドできるように設置され、前記押出板が前記保存チャンバーの底壁の中に設置された液圧機構の作用のもとで上下に移動し、それにより広告紙を連動して上方に移動させて前記吸着装置と協働させて広告紙を吸盤に吸着させる。
【０００８】
有益的に、前記上げ装置はまた前記揺動枠の頂壁の中に設置された伝動チャンバーを含み、前記伝動チャンバーの中には前後に延伸した第一回転軸が回転できるように設置され、前記伝動チャンバーの中の前記第一回転軸の外表面には第一ベベルギアが固定的に設置され、前記第一回転軸の前後両側の末端が前記揺動枠の外側まで伸びており、且つ前記第一回転軸の前後両側の末端には第一歯車が固定的に設置され、前記伝動チャンバーの底壁の中にはチェンジチャンバーが設置され、前記チェンジチャンバーと前記伝動チャンバーとの間には第二回転軸が回転できるように設置され、前記伝動チャンバーの中の前記第二回転軸の末端には前記第一ベベルギアと噛み合っている第二ベベルギアが固定的に設置されている。
【０００９】
有益的に、前記揺動チャンバーの頂壁の中には前後対称の歯車チャンバーが設置され、前記歯車チャンバーの片側端壁の中にはウォームホイールチャンバーが設置され、前後の二つのウォームホイールチャンバーの間には前記歯車チャンバーを貫通した第一ウォームが回転できるように設置され、前記歯車チャンバーの中の前記第一ウォームの外表面には前記第一歯車と噛み合っている第三歯車が固定的に設置され、前記ウォームホイールチャンバーの頂壁の中にはベルトチャンバーが設置され、前記ベルトチャンバーと前記ウォームホイールチャンバーの間には第三回転軸が回転できるように設置され、前記ウォームホイールチャンバーの中の前記第三回転軸の末端には前記第一ウォームと噛み合っている第一ウォームホイールが固定的に設置され、前記ベルトチャンバーの中の前記第三回転軸の末端には第一プーリが固定的に設置され、前記ネジ山カバーが前記ベルトチャンバーを貫通し、前記ベルトチャンバーの中の前記ネジ山カバーの外表面には第二プーリが固定的に設置され、前記第二プーリと前記第一プーリとの間にはベルトが伝動できるように連結され、前記ネジ山カバーの中には上下に貫通した第一ネジ山孔が設置され、前記第一ネジ山ロッドが第一ネジ山孔の中にネジ山により連結される。
【００１０】
有益的に、前記接着剤塗り装置は前記揺動枠の右側端壁の中に設置された右方に開口したガイドスライド溝を含み、前記ガイドスライド溝の中にはガイドスライドブロックがスライドできるように設置され、前記ガイドスライドブロックと前記ガイドスライド溝の左側端壁との間には押圧バネが弾性を持つように設置され、前記ガイドスライドブロックの右側端壁の中には接着剤塗りチャンバーが設置され、前記塗り輪が前記接着剤塗りチャンバーの中に回転できるように設置され、前記接着剤塗りチャンバーの頂壁の中には抜き穴が設置され、前記揺動枠の頂壁には接着剤保存缶が固定的に設置され、前記接着剤保存缶の底壁の中には前記接着剤塗りチャンバーを連通した原料入口が設置されている。
【００１１】
有益的に、前記揺動装置は前記揺動枠の中に設置された噛合チャンバーを含み、前記噛合チャンバーの中には第四回転軸が回転できるように設置され、第四回転軸の前後両側の末端が前記揺動枠を貫通して前記揺動チャンバーの前後端壁に固定的に設置され、前記噛合チャンバーの中の前記第四回転軸の外表面には第二ウォームホイールが固定的に設置され、前記噛合チャンバーの中には前記第二ウォームホイールと噛み合っている第二ウォームが回転できるように設置され、前記チェンジチャンバーの頂壁の中には第二スライドチャンバーが設置され、前記第二スライドチャンバーの中には第二スライドブロックがスライドできるように設置され、前記第二スライドブロックの底壁の中には第一モーターが固定的に設置され、前記第一モーターの出力軸の末端には第四歯車が固定的に設置され、前記第二スライドブロックの中には左右に貫通した第二ネジ山孔が設置され、前記第二ネジ山孔の中には第二ネジ山ロッドがネジ山により設置され、前記第二ネジ山ロッドが前記第二ウォームと固定的に連結され、前記第二ネジ山ロッドの左側末端が前記第二スライドチャンバーの左側端壁の中に固定的に設置された第二モーターと動力が伝達できるように連結されている。
【００１２】
有益的に、前記貼り装置は前記第一スライドブロックの中に設置された左右に貫通した第三ネジ山孔を含み、前記第三ネジ山孔の中には第三ネジ山ロッドがネジ山により連結され、前記第三ネジ山ロッドの末端が左右二つの前記第一スライドチャンバーの間に設置された回転チャンバーの中に伸びており、且つ第三ネジ山ロッドの末端には第三ベベルギアが固定的に設置され、前記回転チャンバーと前記チェンジチャンバーとの間には第五回転軸が回転できるように設置され、前記チェンジチャンバーの中の前記第五回転軸の末端には前記第四歯車と噛み合っている第五歯車が固定的に設置され、前記回転チャンバーの中の前記第五回転軸の末端には前記第三ベベルギアと噛み合っている第四ベベルギアが固定的に設置され、前記ローラーホイールが前記第一スライドブロックの底壁の中に設置されたローラーホイールチャンバーの中に回転できるように設置されている。
【００１３】
有益的に、前記吸着装置は前記揺動枠の頂壁に左右対称的に設置されており、且つ直線に沿って配置した複数グループの第一スライド孔を含み、前記第一スライド孔の中には前記吸盤と固定的に連結された第一スライドロッドがスライドできるように設置され、前記第一スライドロッドの中には上下に貫通した通気孔が設置され、前記第一スライドロッドと前記第一スライド孔の頂壁との間にはリセットバネが弾性を持つように設置され、前記第一スライド孔の左側端壁の中には外部空間を連通した連通パイプが設置され、前記第一スライドチャンバーの片側端壁の中には前記連通パイプを貫通した第二スライド孔が設置され、前記第二スライド孔の中には第二スライドロッドがスライドできるように設置され、前記第二スライドロッドと前記第二スライド孔の端壁との間には第一リセット装置が弾性を持つように設置され、前記第二スライドロッドの中には上下に貫通したエアー穴が設置されている。
【００１４】
有益的に、前記液圧機構は前記保存チャンバーの底壁に設置された第三スライド孔を含み、前記第三スライド孔の中には前記押出板と固定的に連結された第三スライドロッドがスライドできるように設置され、前記第三スライドロッドと前記第三スライド孔の端壁との間には第二リセット装置が弾性を持つように設置され、前記ボディの頂壁の中の右側には上方に開口した第四スライド孔が設置され、前記第四スライド孔の中には第四スライドロッドがスライドできるように設置され、前記第四スライド孔と前記第三スライド孔との間には液圧パイプが連通するように設置されている。
【００１５】
有益的に、前記ボディの前後端壁にはローラーが左右対称的に設置され、前記ボディの移動に便利である。
【発明の効果】
【００１６】
本発明の有益効果は：本発明の壁面広告を自動的に貼る装置は、広告紙の自動的に貼ることを実現でき、同時に設備の中には自動接着剤塗り装置が設置され、自動的に貼る必要がある壁面に接着剤を塗ることができ、前記ボディの中に設置された貼り装置が、ローラーホイールを連動して貼った広告紙に転圧を行うことができ、それにより貼られた広告紙をよりスムーズにさせ、本発明の設置と移動とが便利であり、操作が簡単であり、機能性が強く、安定性がよく、生産と普及と使用とに便利である。
【図面の簡単な説明】
【００１７】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１８】
【図１】図１は本発明の壁面広告を自動的に貼る装置の全体構成模式図
【図２】図２は図１のＡの拡大構成模式図
【図３】図３は図１のＢの拡大構成模式図
【図４】図４は図１のＣ―Ｃの構成模式図
【図５】図５は図４のＤ―Ｄの構成模式図
【発明を実施するための形態】
【００１９】
図１〜５を参照し、本発明の実施例の壁面広告を自動的に貼る装置は、ボディ１０と前記ボディ１０の上方にある上下にスライドできるスライド枠２２を含み、前記スライド枠２２の底壁の中には上方に開口した揺動チャンバー２３が設置され、前記揺動チャンバー２３の頂壁の中には前記スライド枠２２を連動して上下に移動させることができる上げ装置２００が設置され、前記上げ装置２００が前記スライド枠２２の中に回転できるように設置されたネジ山カバー７１を利用して前記ボディ１０の頂壁に固定的に設置された前後対称の第一ネジ山ロッド２１と協働し、それにより前記スライド枠２２を連動して上下に移動させ、
【００２０】
前記揺動チャンバー２３の中には揺動枠２４が揺動できるように設置され、前記揺動枠２４の右側端壁の中には接着剤塗り装置３００が設置され、前記接着剤塗り装置３００が前記上げ装置２００の上昇とともに塗り輪６０を連動して接着剤を壁面に均一に塗り、広告の貼りに便利であり、前記揺動枠２４の右側端壁の中には前記揺動枠２４が揺動することに用いる揺動装置４００が設置され、前記揺動チャンバー２３の底壁の中には第一スライドチャンバー３４が左右対称的に設置され、前記第一スライドチャンバー３４と第一スライドチャンバー３４の端壁の中には貼り装置５００が設置され、前記貼り装置５００が第一スライドチャンバー３４の中にスライドできるように設置された第一スライドブロック３２を含み、前記第一スライドブロック３２が前記第一スライドブロック３２の底壁の中にスライドできるように設置されたローラーホイール３１を連動して移動させて広告紙を壁面に貼らせ、
【００２１】
前記揺動枠２４の底壁の中には吸着装置６００が設置され、前記吸着装置６００が前記揺動枠２４の底壁の中にスライドできるように設置された吸着盤５４を利用して広告紙を吸着し、そして前記揺動装置４００と協働して広告紙を水平方向から垂直方向に回転連動させ、それにより広告紙を壁面と貼り合わせ、前記ボディ１０の頂壁の中には上方に開口した保存チャンバー１１が設置され、前記保存チャンバー１１の中には押出板１３がスライドできるように設置され、前記押出板１３が前記保存チャンバー１１の底壁の中に設置された液圧機構７００の作用のもとで上下に移動し、それにより広告紙を連動して上方に移動させて前記吸着装置６００と協働させて広告紙を吸盤に吸着させる。
【００２２】
有益的に、前記上げ装置２００はまた前記揺動枠２４の頂壁の中に設置された伝動チャンバー８１を含み、前記伝動チャンバー８１の中には前後に延伸した第一回転軸７７が回転できるように設置され、前記伝動チャンバー８１の中の前記第一回転軸７７の外表面には第一ベベルギア７８が固定的に設置され、前記第一回転軸７７の前後両側の末端が前記揺動枠２４の外側まで伸びており、且つ前記第一回転軸７７の前後両側の末端には第一歯車７６が固定的に設置され、前記伝動チャンバー８１の底壁の中にはチェンジチャンバー２６が設置され、前記チェンジチャンバー２６と前記伝動チャンバー２８との間には第二回転軸２５が回転できるように設置され、前記伝動チャンバー８１の中の前記第二回転軸２５の末端には前記第一ベベルギア７８と噛み合っている第二ベベルギア８０が固定的に設置され、前記チェンジチャンバー８１の中の前記第二回転軸２５の末端には第二歯車２７が固定的に設置されている。
【００２３】
有益的に、前記揺動チャンバー２３の頂壁の中には前後対称の歯車チャンバー８２が設置され、前記歯車チャンバー８２の片側端壁の中にはウォームホイールチャンバー７３が設置され、前後の二つのウォームホイールチャンバー７３の間には前記歯車チャンバー８２を貫通した第一ウォーム８３が回転できるように設置され、前記歯車チャンバー８２の中の前記第一ウォーム８３の外表面には前記第一歯車７６と噛み合っている第三歯車７５が固定的に設置され、前記ウォームホイールチャンバー７３の頂壁の中にはベルトチャンバー６８が設置され、前記ベルトチャンバー６８と前記ウォームホイールチャンバー７３の間には第三回転軸８４が回転できるように設置され、前記ウォームホイールチャンバー７３の中の前記第三回転軸８４の末端には前記第一ウォーム８３と噛み合っている第一ウォームホイール７４が固定的に設置され、前記ベルトチャンバー６８の中の前記第三回転軸８４の末端には第一プーリ６７が固定的に設置され、前記ネジ山カバー７１が前記ベルトチャンバー６８を貫通し、前記ベルトチャンバー６８の中の前記ネジ山カバー７１の外表面には第二プーリ７０が固定的に設置され、前記第二プーリ７０と前記第一プーリ６７との間にはベルト６９が伝動できるように連結され、前記ネジ山カバー７１の中には上下に貫通した第一ネジ山孔７２が設置され、前記第一ネジ山ロッド２１が第一ネジ山孔７２の中にネジ山により連結される。
【００２４】
有益的に、前記接着剤塗り装置３００は前記揺動枠２４の右側端壁の中に設置された右方に開口したガイドスライド溝５８を含み、前記ガイドスライド溝５８の中にはガイドスライドブロック６１がスライドできるように設置され、前記ガイドスライドブロック６１と前記ガイドスライド溝５８の左側端壁との間には押圧バネ５７が弾性を持つように設置され、前記ガイドスライドブロック６１の右側端壁の中には接着剤塗りチャンバー５９が設置され、前記塗り輪６０が前記接着剤塗りチャンバー５９の中に回転できるように設置され、前記接着剤塗りチャンバー５９の頂壁の中には抜き穴６２が設置され、前記揺動枠２４の頂壁には接着剤保存缶２０が固定的に設置され、前記接着剤保存缶２０の底壁の中には前記接着剤塗りチャンバー５９を連通した原料入口６３が設置されている。
【００２５】
有益的に、前記揺動装置４００は前記揺動枠２４の中に設置された噛合チャンバー６４を含み、前記噛合チャンバー６４の中には第四回転軸４６が回転できるように設置され、第四回転軸４６の前後両側の末端が前記揺動枠２４を貫通して前記揺動チャンバー２３の前後端壁に固定的に設置され、前記噛合チャンバー６４の中の前記第四回転軸４６の外表面には第二ウォームホイール６６が固定的に設置され、前記噛合チャンバー６４の中には前記第二ウォームホイール６６と噛み合っている第二ウォーム６５が回転できるように設置され、前記チェンジチャンバー２６の頂壁の中には第二スライドチャンバー４４が設置され、前記第二スライドチャンバー４４の中には第二スライドブロック４３がスライドできるように設置され、前記第二スライドブロック４３の底壁の中には第一モーター４０が固定的に設置され、前記第一モーター４０の出力軸の末端には第四歯車２８が固定的に設置され、前記第二スライドブロック４３の中には左右に貫通した第二ネジ山孔４２が設置され、前記第二ネジ山孔４２の中には第二ネジ山ロッド４２がネジ山により設置され、前記第二ネジ山ロッド４２が前記第二ウォーム６５と固定的に連結され、前記第二ネジ山ロッド４２の左側末端が前記第二スライドチャンバー４４の左側端壁の中に固定的に設置された第二モーター４５と動力が伝達できるように連結されている。
【００２６】
有益的に、前記貼り装置５００は前記第一スライドブロック３２の中に設置された左右に貫通した第三ネジ山孔３３を含み、前記第三ネジ山孔３３の中には第三ネジ山ロッド３５がネジ山により連結され、前記第三ネジ山ロッド３５の末端が左右二つの前記第一スライドチャンバー３４の間に設置された回転チャンバー３７の中に伸びており、且つ第三ネジ山ロッド３５の末端には第三ベベルギア２９が固定的に設置され、前記回転チャンバー３７と前記チェンジチャンバー２６との間には第五回転軸３８が回転できるように設置され、前記チェンジチャンバー２６の中の前記第五回転軸３８の末端には前記第四歯車２８と噛み合っている第五歯車３９が固定的に設置され、前記回転チャンバー３７の中の前記第五回転軸３８の末端には前記第三ベベルギアと噛み合っている第四ベベルギア３６が固定的に設置され、前記ローラーホイール３１が前記第一スライドブロック３２の底壁の中に設置されたローラーホイールチャンバー３０の中に回転できるように設置されている。
【００２７】
有益的に、前記吸着装置６００は前記揺動枠２４の頂壁に左右対称的に設置されており、且つ直線に沿って配置した複数グループの第一スライド孔４７を含み、前記第一スライド孔４７の中には前記吸盤５４と固定的に連結された第一スライドロッド５６がスライドできるように設置され、前記第一スライドロッド５６の中には上下に貫通した通気孔５５が設置され、前記第一スライドロッド５６と前記第一スライド孔４７の頂壁との間にはリセットバネ４８が弾性を持つように設置され、前記第一スライド孔４７の左側端壁の中には外部空間を連通した連通パイプ４９が設置され、前記第一スライドチャンバー３４の片側端壁の中には前記連通パイプ４９を貫通した第二スライド孔５３が設置され、前記第二スライド孔５３の中には第二スライドロッド５０がスライドできるように設置され、前記第二スライドロッド５０と前記第二スライド孔５３の端壁との間には第一リセット装置５１が弾性を持つように設置され、前記第二スライドロッド５０の中には上下に貫通したエアー穴５２が設置されている。
【００２８】
有益的に、前記液圧機構７００は前記保存チャンバー１１の底壁に設置された第三スライド孔１６を含み、前記第三スライド孔１６の中には前記押出板１３と固定的に連結された第三スライドロッド１４がスライドできるように設置され、前記第三スライドロッド１４と前記第三スライド孔１６の端壁との間には第二リセット装置１５が弾性を持つように設置され、前記ボディ１０の頂壁の中の右側には上方に開口した第四スライド孔１９が設置され、前記第四スライド孔１９の中には第四スライドロッド１７がスライドできるように設置され、前記第四スライド孔１９と前記第三スライド孔１６との間には液圧パイプ１８が連通するように設置されている。
【００２９】
有益的に、前記ボディ１０の前後端壁にはローラー１２が左右対称的に設置され、前記ボディ１０の移動に便利である。
【００３０】
本実施例に記載された固定連結方法はボルト固定、溶接などの方法を含むが、これのみに限定されるものではない。
【００３１】
装置全体の機械動作の順序は：
【００３２】
１、前記第一モーター４０を始動し、それにより前記第四歯車２８を回転連動させ、それにより前記第二歯車２７を回転連動させ、それにより前記第二ベベルギア８０を回転連動させ、それにより前記第一ベベルギア７８を回転連動させ、それにより前記第一歯車７６を回転連動させ、それにより前記第三歯車７５を回転連動させ、それにより前記第一ウォーム８３を回転連動させ、それにより前記第一ウォームホイール７４を回転連動させ、それにより前記第一プーリ６７を回転連動させ、それにより前記第二プーリ７０を回転連動させ、それにより前記ネジ山カバー７１を回転連動させ、それにより前記スライド枠２２を前記第一ネジ山ロッド２１に沿って上方に移動させ、その時広告紙を正面を上方にして前記押出板１３の上方に置き、その時前記第一モーター４０を始動して、前記第一モーター４０が反転し、そして前記第一モーター４０が前記スライド枠２２を連動して下方に移動させ、
【００３３】
２、前記スライド枠２２が下方に移動して前記第四スライドロッド１７を連動して下方に移動させ、それにより前記液圧パイプ１８の中の液圧オイルを押し、そして液圧オイルが前記第三スライドロッド１４を押し、その時前記第三スライドロッド１４が上方に移動して広告紙を連動して上方に移動させて前記吸盤５４を当接させ、その時前記第一スライドロッド５６が上方に移動して前記リセットバネ４８を圧縮し、その時前記吸盤５４が広告紙をきつく吸着し、その時前記ボディ１０が壁面に移動し、前記塗り輪６０が壁面と当接され、その時前記ガイドスライドブロック６１が左方に移動し、それにより前記抜き穴６２を連動して左方に移動させて前記原料入口６３と揃えさせ、その時前記接着剤保存缶２０の中の接着剤が前記塗り輪６０にあり、
【００３４】
３、その時再び前記第一モーター４０を始動し、それにより前記第四歯車２８を回転連動させ、それにより前記第二歯車２７を回転連動させ、それにより前記第二ベベルギア８０を回転連動させ、それにより前記第一ベベルギア７８を回転連動させ、それにより前記第一歯車７６を回転連動させ、それにより前記第三歯車７５を回転連動させ、それにより前記第一ウォーム８３を回転連動させ、それにより前記第一ウォームホイール７４を回転連動させ、それにより前記第一プーリ６７を回転連動させ、それにより前記第二プーリ７０を回転連動させ、それにより前記ネジ山カバー７１を回転連動させ、それにより前記スライド枠２２を連動して前記第一ネジ山ロッド２１に沿って上方に移動させ、その時前記塗り輪６０が壁面に沿って上方に移動し、それにより接着剤を均一的に壁面に塗り、
【００３５】
４、前記スライド枠２２が貼る必要がある位置の上縁まで移動した時、前記第二モーター４５を始動し、それにより前記第二ネジ山ロッド４１を回転連動させ、それにより前記第二スライドブロック４３を連動して右方に移動させ、それにより前記第四歯車２８と前記第五歯車３９とを噛み合わせ、同時に前記第二ネジ山ロッド４１が前記第二ウォーム６５を回転連動させ、その時前記第二ウォームホイール６６が回転できないため、前記第二ネジ山ロッド６５が前記揺動枠２４を前記第二ウォームホイール６６を沿って回転連動させ、それにより広告紙の背面と壁面とを当接させ、
【００３６】
５、その時前記第一モーター４０を起動し、前記第一モーター４０が回転して前記第四歯車２８を回転連動させ、それにより前記第五歯車３９を回転連動させ、それにより前記第四ベベルギア３６を回転連動させ、それにより前記第三ベベルギア２９を回転連動させ、それにより前記第三ネジ山ロッド３５を回転連動させ、それにより前記第一スライドブロック３２を連動して移動させ、それにより前記ローラーホイール３１を連動して広告紙と当接するように移動させ、前記第一スライドブロック３２が第一スライドチャンバー３４の一番外側まで移動すると、同時に前記第一スライドブロック３２が前記第二スライドロッド５０と当接し、前記エアー穴５２が右方に移動して前記連通パイプ４９と連通し、その時前記吸盤５４の内部空間が外部の気圧と連通し、前記吸盤５４が前記吸盤５４そのものの作用を失って広告紙と分離し、その時広告紙が貼り終わり、以上のステップを繰り返してそれにより広告紙の貼りを徐々に実現する。
【００３７】
上記の実施例は本発明の技術発想と特徴を説明するためのものであり、その目的は本分野に詳しい技術者に本発明の内容を理解して実施させることであり、それをもって本発明の保護範囲を限定するものではない。本発明の精神要旨をもって行う全ての同等変化あるいは修正は、本発明の保護範囲に含まれる。
【要約】
【課題】本発明は壁面広告を自動的に貼る装置を開示した。  
【解決手段】
本発明は広告貼り分野に関し、具体的には壁面広告を自動的に貼る装置であり、ボディと前記ボディの上方にある上下にスライドできるスライド枠を含み、本発明の提供した壁面広告を自動的に貼る装置は、広告紙の自動的に貼ることを実現でき、同時に設備の中には自動接着剤塗り装置が設置され、自動的に貼る必要がある壁面に接着剤を塗ることができ、前記ボディの中に設置された貼り装置が、ローラーホイールを連動して貼った広告紙に転圧を行うことができ、それにより貼られた広告紙をよりスムーズにさせ、本発明の設置と移動とが便利であり、操作が簡単であり、機能性が強く、安定性がよく、生産と普及と使用とに便利である。
【選択図】図１【図１】
0006754045.tif 000002
【図２】
0006754045.tif 000003
【図３】
0006754045.tif 000004
【図４】
0006754045.tif 000005
【図５】
0006754045.tif 000006